(57)【特許請求の範囲】
【請求項１】
第１連結手段により水平方向に組み付けられる床骨組体と、該床骨組体に配設される床面体と、第３連結手段により床骨組体または床面体に組み立てられる屋根骨組体と、第４連結手段により該屋根骨組体に張られるテントシートとからなる床付テントユニットであって、
前記床骨組体が前記第１連結手段と複数のフレーム部材からなるとともに、前記床面体が第２連結手段と複数のパネルからなり、
前記複数のパネルのうち、少なくとも１枚のパネルに折りたたみ式足が設けられていることを特徴とする床付テントユニット。 
【請求項２】
前記床骨組体を設営地の地面から所定の高さに支持する複数のジャッキを備えてなる請求項１記載の床付テントユニット。
【請求項３】
前記複数のパネルの四隅に、該パネルを前記床骨組体に組み付けるための開口部が形成されている請求項２記載の床付テントユニット。 
【発明の詳細な説明】
【０００１】
【発明の属する技術分野】
本発明は大自然の懐に素直に溶け込んでいくのに適するように工夫された新規なテントユニットに関する。さらに詳しくは、軽量性やコンパクト性のみを追及してきた従来のテントとは異なり、非常に多機能、快適であり、かつコスト、取扱い性および機動力の点においても優れた画期的な床付テントユニットに関する。
【０００２】
【従来の技術および発明が解決しようとする課題】
アウトドアのキャンプに用いられるテントの一例としては、三角形状のフレームにインナーテントを張るとともに、該インナーテントの外側に防水用のフライシートを配置し、そして該フライシートの周辺をペグで固定するようにしたくさび形テントがある。
【０００３】
かかるテントをキャンプ地に設営する場合、インナーテントの縫い込み床面（シート部）は薄地であり、かつ直接地面に接するものであるため、眺望やアクセスなど他の条件が優れていても、キャンプ地において水が溜まっている場所や起伏のある場所などには設営することができない。
【０００４】
したがって、湿地を避け、できるだけ平坦なところに設営場所が限定されるともに、移動するためにはテントをたたむ必要があるため、いったん設営してしまうと移動が煩わしいという問題がある。
【０００５】
また、通常のキャンプ地以外の場所、たとえばコンクリート上などにテントを設営すると、とくに夏場においては、テント内の床面の温度が高く、寝苦しいという問題がある。逆に、冬場では寒すぎて寝つけないという問題もある。
【０００６】
さらに、従来のテントではテント内で火を使ったり、ゴミを捨てたりすることができず、単に寝るだけという限られた機能しかもっていなかった。
【０００７】
また、水害や地震の被災地においてはプレハブ式の仮設住宅が用いられているが、このプレハブ住宅は基礎を設ける必要があるため、軟弱な地盤上には設置することができない。また、夏場は部屋の温度が上昇して居住環境がよくないという問題がある。
【０００８】
本発明は、叙上の事情に鑑み、キャンプ地などの地形状態の良否にかかわらずテントを設営することができ、かつ夏場や冬場でも通常の住宅と変わることなく快適に過ごすことができる床付テントユニットを提供することを目的とする。
【０００９】
【課題を解決するための手段】
本発明の床付テントユニットは、第１連結手段により水平方向に組み付けられる床骨組体と、該床骨組体に配設される床面体と、第３連結手段により床骨組体または床面体に配置される屋根骨組体と、第４連結手段により該屋根骨組体に張られるテントシートとからなり、
前記床骨組体が前記第１連結手段と複数のフレーム部材からなるとともに、前記床面体が第２連結手段と複数のパネルからなり、
前記複数のパネルのうち、少なくとも１枚のパネルに折りたたみ式足が設けられていることを特徴としている。
【００１０】
【発明の実施の形態】
以下、添付図面に基づいて本発明の床付テントユニットを説明する。
【００１１】
図１〜４に示されるように、本発明の一実施の形態にかかわる床付テントユニットは、床骨組体Ａ、床面体Ｂおよび屋根骨組体Ｃからなるテント本体と、テントシートＤと、前記床骨組体Ａを設営地Ｇから所定の高さに支持するジャッキＥとから構成されている。
【００１２】
前記床骨組体Ａは、複数のフレーム部材１と第１連結手段２とからなり、フレーム部材１は、第１連結手段２により分解可能に組み付けられている。このフレーム部材１としては、軽量かつ強度がある部材であれば、本発明において、とくに限定されるものではなく、たとえば材質がアルミニウム合金である角筒パイプ、断面がコ字状のチャンネルまたは円筒パイプなどを適宜用いることができる。また、これらのフレーム部材を２種以上組み合わせることもできる。このフレーム部材１の数は、収容人員に必要な居住空間の広さおよび後述するパネル１枚の大きさにより、適宜選定することができる。前記第１連結手段２としては、風力や人員の荷重移動の衝撃などによりフレーム部材１の組み付け部が緩まないものであれば、本発明においてとくに限定されるものではないが、たとえばロープ、ワイヤーまたはボルトナットなどを適宜選定することができる。また、フレーム部材同士を嵌合または溶接により接続ないしは連結することもでき、この場合、嵌合部または溶接部が第１連結手段となる。本実施の形態では、コストや組み付けの容易さを考慮してロープが用いられている。
【００１３】
また、床骨組体Ａの組み付け方法としては、図２〜３に示されるようにフレーム部材１が交差する箇所で当該フレーム部材１同士を連結する方法以外にも、たとえば図４に示される方法を採用することもできる。すなわち、フレーム部材１の上に他のフレーム部材１を直交するように配置するまでは図２〜３に示される方法と同じであるが、図４に示される方法ではフレーム部材１の断面形状とほぼ等しい形状および大きさの切欠き２０が形成された押さえフレーム２１を、フレーム部材１が前記切欠き２０に嵌まるように配置する。そして、この押さえフレーム２１と最も下のフレーム部材１とをロープなどでしばるか、またはボルトとナットで締め付けることにより、フレーム部材同士を連結させることができる。
【００１４】
前記押さえフレーム２１には、所定間隔で切欠き２０が形成されているのでフレーム部材１の位置合わせを簡単かつ正確に行なうことができる。
【００１５】
また、後述する屋根骨組体Ｃのパイプフレーム７が嵌まる切欠き２２を形成しておけば、フレーム部材同士をロープでしばることによってこの切欠き２２の縁部２２ａがパイプフレーム７を下方へ押圧するようにすることができ、前記屋根骨組体Ｃをより強固に床骨組体Ａに固定させることができる。
【００１６】
本実施の形態にかかわるテント本体は、前記ジャッキＥにより設営地Ｇの地面から所定の高さに支持されているため、キャンプ地が平坦で乾燥している良好な地形状態以外に、キャンプ地が雨でぬかるんでいる場合、キャンプ地に起伏がある場合または傾斜部や段差部がある場合など地形状態がわるいときでも、設営することができる。そして、床下の空気の通路を確保することができるため、夏場でも涼しく、快適に過ごすことができる。また、逆に、床面が直接地面に接していないので冬場でも地面に体温が奪われることもなく比較的あたたかく過ごすことができる。さらに、草などが生えている場所でキャンプを設営する場所でも、テントの床面が地面から離れているので芝生や草花などを傷めることがなく、環境にやさしいテントとなる。また、地面からの湿気が少なく、虫もほとんどこないので非常に健康的である。
【００１７】
前記床面体Ｂは、前記床骨組体Ａに配設される複数のパネル３と第２連結手段４とからなり、パネル３は第２連結手段４により床骨組体Ａに着脱自在に組み付けられている。このパネル３としては、軽量かつ強度がある部材であれば、本発明において、とくに限定されるものではなく、たとえば合板またはプラスチック製パネルなどを適宜用いることができる。前記第２連結手段４としては、前記第１連結手段２と同様に、ロープ、ワイヤー、針金またはボルトナットなどを適宜使用することができるが、本実施の形態では、前記第１連結手段２と同様にロープが用いられている。本実施の形態では、第２連結手段４としてロープが用いられているので、パネル３を前記床骨組体Ａに組み付けつけるための開口部５がパネル３の四隅に形成されている。したがって、パネル３は、かかるロープを開口部５に通して前記床骨組体Ａのフレーム部材１に巻き付けられている。また、パネル３に開口部５を形成することにより、たとえば３枚のパネル３の開口部５にロープを通して束ねることができるため、３枚のパネル３をまとめて持ち運びすることができ、取り扱い上便利である。なお、パネル３は第２連結手段４を用いることなく、単に床骨組体Ａ上に並べて配置させることもできる。
【００１８】
また、前記第１連結手段１としてロープを用いる代わりに、ボルトナットを用いる場合、開口部に座グリを形成し、ナットを埋め込んでおくと、予め前記フレーム部材に形成しておいた孔にボルトを差し込んだのち、前記ナットにねじ込むだけでパネルを容易に組み付けることができる。また、図１に示されるように、１枚のパネル３に円形パネル部３ａを着脱自在に設けることもできる。かかる円形パネル３ａを設けることにより、たとえば円形パネル３ａを取り除き、七輪、石油ランプ、ローソク、ガスコンロ、ストーブを置いたり、または土の上に炭や薪を石で囲んで燃やすことができるため、テント内で暖を取ったり、煮炊きを行なうことができる。そして、とくに夏場においては、火をたくことにより虫がこなくなるという効果も得られるので、蚊取線香をたいたり、殺虫剤、防虫剤を散布する必要がなくなる。夏のテント内が暑いときは、パネル３または円形パネル３ａを取り除いて、下にファンを置いて回すとウィンドファン的な効果があるので、大変涼しくて快適である。また、部分的にではなく１枚のパネル全体を着脱自在にして、このパネル３の下方に専用の容器を置くことにより簡易トイレとしたり、灰皿またはごみ箱とすることもできる。この場合に、容器を用いることなく、地面に穴を掘るだけでトイレとすることもできる（テント解体時に掘った穴は埋めておく）。テント内で火を燃やしても、本実施の形態にかかわるテント本体が、前記ジャッキＥにより設営地Ｇの地面から所定の高さに支持されているため、床骨組体Ａの下の空気の流れが確保されて、不完全燃焼を防止することができるとともに、テント内の酸欠を防止することもできる。さらに図５に示されるように、前記複数のパネル３のうち、少なくとも１枚のパネル３の背面の四隅に折りたたみ式足６を設けておくと、就寝以外のときに食卓テーブル、事務テーブル、作業テーブルなどとしてかかるパネル３を使用することもできる。この折りたたみ式足を有するパネルは種々の利用方法があり、たとえば２枚のパネルを間隔をあけて配置し、そのあいだに孔あきパネルをセットし、その孔内にコンロなどを置くことで簡単に調理台兼食卓をつくることができる。
【００１９】
また、フレーム部材１にネットを張ったり、または係止部を有するかごやバスケットなどの容器の当該係止部をフレーム部材１に引っかけることにより、さらには係止部を有していない容器や袋をパネルの下方に設けることにより、床下収納庫を簡単につくることができる。この床下収納庫は、普段はパネルで蓋をしておき、物品を出し入れする際にパネルを取りはずして利用すればよい。
【００２０】
また、本発明では、床骨組体および床面体としてある程度重量のある鋼材などの材料を用いるようにすれば、自重だけで安定した構造となるので、従来のテント設営に不可欠であったペグを省略することができる。
【００２１】
前記屋根骨組体Ｃは、複数のパイプフレーム７と第３連結手段８とからなり、該第３連結手段８により前記床骨組体Ａのフレーム部部材１に組み立てられている。このパイプフレーム７としては、通常用いられるパイプ材を用いることができる。また、パイプフレーム７の数は、たとえば屋根の形状をドーム形やくさび形などに設定する場合や風力に耐え得るように設定する場合に対応して選定することができる。前記第３連結手段８としては、前記第１連結手段２と同様に、ロープ、ワイヤーまたはボルトナットなどを適宜使用することができるが、本実施の形態では、前記第１連結手段２および第２連結手段４と同様にロープが用いられている。なお、本実施の形態では、屋根骨組体Ｃが床骨組体Ａのフレーム部材１に組み立てられているが、本発明においては、これに限定されるものではなく、床面体Ｂのパネル３に組み付けることもできる。
【００２２】
前記テントシートＤとしては、第４連結手段９によりフレーム部材１または水平に配置したパイプフレーム７に接続し得るシートであれば、本発明において、とくに限定されるものではなく、通常用いられるテント用シートを用いることができる。たとえばテントシートＤとして、防水用シートであるフライシートとすることができる。かかるフライシートの素材は、ナイロン、ポリエステルなどの繊維を使用した織布やフィルム、またはこれらに樹脂処理を施したものである。またはテントシートＤとして、前記屋根骨組体Ｃに張られるインナーテントと該インナーテントの外側に張られる前記フライシートとからなるものを用いることもできる。この場合に、インナーテントの下端部を延長させて、床骨組体の周囲から地面に向けてスカート状に垂らすようにすれば、床下への風雨や虫などの侵入を防ぐことができる。
【００２３】
また、本実施の形態では、床の部分が省略されたテントシートを用いているが、本発明の床付テントユニットは、これに限定されるものではなく、床の部分を含む通常の市販されているテントシートを用いることもできる。
【００２４】
その場合、テントシートの床部分はフレーム部材の上に敷き、その上にパネルを設けてもよいし、またパネルの上にテントシートの床部分を敷くようにしてもよい。このテントシートの床部分は、前述したようにテント内で火を利用したり、床下収納庫を形成する場合を考慮して、ファスナーやフックなどで少なくとも部分的に開閉（開放）できるようにするのが好ましい。
【００２５】
なお、夏場のように太陽光が強いときには、前記フライトシートの上に熱線吸収ネットを被せることにより、太陽熱を当該ネットに吸収させて、テント内の温度を下げるようにしてもよい。
【００２６】
前記第４連結手段９としては、ロープやゴムバンドなどを適宜使用することができるが、本実施の形態では、前記第１連結手段２、第２連結手段４および第３連結手段８と同様にロープが用いられている。
【００２７】
前記ジャッキＥは、図３に示されるように、一端部に正転ネジ部１０ａを有し、かつ他端部に逆ネジ部１０ｂを有する調整ネジ部１０と、上端の載置部１１、下部の接地部１２およびこれらを連結するリンク１３からなるリンク機構１４とから構成されている。このジャッキＥは、たとえば載置部１１のネジ孔（図示せず）に前記フレーム部材１に予め形成される孔からボルト（図示せず）を挿通することにより該フレーム部材１にネジ止めされているが、フレーム部材１を単にジャッキＥ上に置くだけでもよい。このジャッキＥの数は、テント本体を安定して支持することができるように適宜選定することができる。本実施の形態では、前記床骨組体Ａの外周に８個および中央部に１個設置され、合計９個用いられている。なお、図３に示されるタイプのジャッキ以外に、ダルマジャッキや棒状ジャッキを用いることもでき、また高さ調整可能な、たとえば入れ子式の支柱を用いることもできる。
【００２８】
本実施の形態では、テント本体が、前記ジャッキＥにより設営地Ｇの地面から所定の高さに支持されているため、地形状態がわるいキャンプ地にでも設営することができる。また、各ジャッキＥの高さ調整により床骨組体Ａを水平に保つことができる。この水平状態を簡単に確認する方法として、たとえばボールなどの球体を床に置く方法があり、球体が静止することで全方位に対する水平状態を確認することができる。さらにテント本体を設営する場合に、従来のようなくい打ち作業が不要となり、また、テント本体を車の屋根の上や車の荷台に載せるか、または台車に載せるなどして比較的容易に持ち運びすることができるため、キャンプ地への持込みや設営地の移動を簡単かつ速やかに行なうことができる。なお、本実施の形態では、テント本体が設営地Ｇの地面にジャッキＥにより所定の高さに支持されているが、本発明においては、これに限定されるものではなく、たとえばテントの背面に広がる傾斜部の一部に床骨組体の１辺を載置するとともに、残りの３辺と中央部とにジャッキを配置して床骨組体を所定の高さに支持することができる。またはジャッキをすべて省いて、床骨組体の下に石や木材などを適宜配置して、該床骨組体を所定の高さに支持することもできる。
【００２９】
また、以上の説明では、床付テントユニットを地上に設営しているが、本発明の床付テントユニットは床骨組体という丈夫な構造を含んでいるので、この床骨組体を樹木などを利用してロープやチェーンで吊り下げることにより、空中に設営することもできる。また、舟、ゴムボート、カヌー、ブイ、フロート、いかだなどの上にも設営することができるし、さらには車の屋根の上、車の荷台、台車の上などにも設営することができる。したがって、水害地や沼地、さらには海上、湖上、川の上、中州などでも設営可能であり、非常に利用範囲が広い。
【００３０】
さらに、本発明の床付テントユニットは、図１〜２に示されるような、屋根の頂部が尖っている家形のテントだけでなくドーム形など他のテントにも適用することができる。
【００３１】
また、以上の説明では、キャンプや仮設住宅など人が居住するための比較的小規模なテントを例にとっているが、大規模化することももちろん可能であり、雨天でも使用可能な仮設ステージ、仮設集会所、仮設展示場、仮設作業所などとすることができる。
【００３２】
【発明の効果】
以上説明したとおり、本発明によれば、キャンプ地などの地形状態の良否にかかわらずテントを設営することができ、かつ夏場や冬場でも通常の住宅と変わることなく快適に過ごすことができる。したがって、キャンプだけでなく自然観察、魚釣り、狩猟などあらゆるアウトドア生活の拠点として用いることができ、従来のレジャー観を一新させるものである。また、農薬、漁業、林業などのベースキャンプとして用いることもできる。さらに、建設労働者や警備員など屋外で労働する人々の休憩所や、食堂、更衣室などとしても用いることができるなど非常に実用的でもある。この場合、複数の床付テントユニットを並べて、用途に応じて使い分けるようにしてもよい。
【００３３】
また、地上だけでなく、空中や木の上、さらには車上や水上にも設営することができ、非常に利用範囲が広い。そして、分解、組み立て、補修、保管および輸送が容易であり、かつコンパクトであるので、地震・水害などの被災地やアフガニスタンなどにおける難民キャンプでの仮設住宅、および被災地などで活動するボランティアの人々の長期滞在用住居としても好適に用いることができる。
【００３４】
さらに、骨組構造とパネルとテントシートからなる簡単な構成であるので、従来の仮設住宅に比べ非常に低コストであり、前述した分解や組み立てが容易なことと相俟って救授物資としても優れている。また、軽量であるため、組み立てた状態で手軽に設営場所を移動することができる。
【００３５】
このように本発明の床付テントユニットは非常に多機能であり、快適性、コスト、取扱い性、収納性などの点において優れており、従来のテント、キャンピングカー、仮設住宅における欠点を一挙に解決する、画期的なものである。また、従来のテントやキャンピングカーとも連携して用いることができる。
【図面の簡単な説明】
【図１】本発明の一実施の形態にかかわる床付テントユニットを示す正面斜視図である。
【図２】図１の床骨組体を示す正面斜視図である。
【図３】図１のフレーム部材同士の連結部、フレーム部材とパイプフレームとの連結部およびジャッキを示す拡大斜視図である。
【図４】フレーム部材同士の他の連結方法を示す説明図である。
【図５】図１のパネルの他の実施の形態を示す斜視図である。
【符号の説明】
１    フレーム部材
２    第１連結手段
３    パネル
３ａ  円形パネル
４    第２連結手段
５    開口部
６    折りたたみ式足
７    パイプフレーム
８    第３連結手段
９    第４連結手段
１０    調整ネジ部
１０ａ  正転ネジ部
１０ｂ  逆ネジ部
１１    載置部
１２    接地部
１３    リンク
１４    リンク機構
Ａ    床骨組体
Ｂ    床面体
Ｃ    屋根骨組体
Ｄ    テントシート
Ｅ    ジャッキ
【図１】
0003578748.tif 000002
【図２】
0003578748.tif 000003
【図３】
0003578748.tif 000004
【図４】
0003578748.tif 000005
【図５】
0003578748.tif 000006